(57)【特許請求の範囲】
【請求項１】
複数の放送信号を受信する第１及び第２チューナモジュールを実装する放送受信装置であって、
前記第１のチューナモジュールは、
放送信号が入力されるＲＦ信号入力端子と、
前記ＲＦ信号入力端子に入力されたＲＦ信号を増幅する広帯域増幅部と、
前記広帯域増幅部により増幅されたＲＦ信号を２つに分配する分配器と、
前記分配器により分配されたＲＦ分配信号のうち、一方のＲＦ分配信号を出力するRF分配信号出力端子と、
前記分配器により分配されたＲＦ分配信号のうち、他方のＲＦ分配信号から周波数変換する第１の受信部と、
前記分配器により分配されたＲＦ分配信号のうち、他方のＲＦ分配信号から映像信号と音声信号に変換する第２の受信部と、を備え、
前記第２のチューナモジュールは、
前記第１のチューナモジュールに備えられたＲＦ分配信号出力端子から出力されるＲＦ分配信号が入力されるＲＦ分配信号入力端子と、
前記ＲＦ分配信号入力端子に入力されたＲＦ分配信号を周波数変換する第３の受信部と、
放送信号が入力されるＲＦ信号入力端子と、
前記ＲＦ信号入力端子から入力されたＲＦ信号を増幅する広帯域増幅部と、
前記広帯域増幅部により増幅されたＲＦ信号を２つに分配する分配器と、
前記分配器により分配されたＲＦ分配信号から所望の物理チャンネルを選局して周波数変換する第４の受信部及び第５の受信部と、を備え
前記第１のチューナモジュールと前記第２のチューナモジュールが同一基板上に実装され、
前記ＲＦ分配信号出力端子と、前記ＲＦ分配入力端子が前記基板の基板配線で接続され
、
前記第１のチューナモジュールに備えられた前記ＲＦ信号入力端子に入力される放送信号と、
前記第２のチューナモジュールに備えられた前記ＲＦ信号入力端子に入力される放送信号と、が異なる伝送媒体を介して伝送される放送信号、
であることを特徴とする放送受信装置。
【請求項２】
請求項１に記載の放送受信装置において、
前記第１のチューナモジュールに備えられた前記ＲＦ信号入力端子に入力される放送信号が、
地上アナログ放送信号と地上デジタル放送信号のいずれか一方または両方であることを特徴とする放送受信装置。
【請求項３】
請求項１に記載の放送受信装置において、
前記第２のチューナモジュールに備えられた前記ＲＦ信号入力端子に入力される放送信号が衛星デジタル放送信号であることを特徴とする放送受信装置。
【請求項４】
請求項２に記載の放送受信装置において、
前記第１のチューナモジュールに備えられた前記第１の受信部では、
地上デジタル放送信号をＩＦ信号に周波数変換し、
前記第１のチューナモジュールに備えられた前記第２の受信部では、
地上アナログ放送信号を映像信号および音声信号に変換し、
前記第２のチューナモジュールに備えられた前記第３の受信部では、
地上デジタル放送信号をＩＦ信号に周波数変換することを特徴とする放送受信装置。
【請求項５】
請求項３に記載の放送受信装置において、
前記第２のチューナモジュールに備えられた前記第４の受信部及び前記第５の受信部では、衛星デジタル放送信号をベースバンド信号に周波数変換することを特徴とする放送受信装置。
【請求項６】
請求項４に記載の放送受信装置において、
前記第１のチューナモジュールに備えられた前記第１の受信部は、
前記第１のチューナモジュールに備えられた前記分配器により分配されたＲＦ分配信号から、所望の物理チャンネルを選局し、ＩＦ信号に変換する選局部と、
前記選局部により周波数変換されたＩＦ信号の周波数帯域を制限する第１の帯域制限部と、
前記第１の帯域制限部により周波数帯域を制限されたＩＦ信号の信号レベルを調整する可変増幅部と、を備え、
前記第１のチューナモジュールに備えられた前記第２の受信部は、
前記第１のチューナモジュールに備えられた前記分配器により分配されたＲＦ分配信号から、所望の物理チャンネルを選局し、ＩＦ信号に変換する選局部と、
前記選局部により周波数変換されたＩＦ信号の周波数帯域を制限する第２の帯域制限部と、
前記第２の帯域制限部により周波数帯域を制限されたＩＦ信号をアナログ復調し、映像信号と音声信号を出力するアナログ復調部とを備え、
てなることを特徴とする放送受信装置。
【請求項７】
請求項４に記載の放送受信装置において、
前記第２のチューナモジュールに備えられた前記第３の受信部は、
前記第２のチューナモジュールに備えられた前記ＲＦ分配信号入力端子に入力されたＲＦ分配信号から、所望の物理チャンネルを選局し、ＩＦ信号に変換する選局部と、
前記選局部により周波数変換されたＩＦ信号の周波数帯域を制限する帯域制限部と、
前記帯域制限部により周波数帯域を制限されたＩＦ信号の信号レベルを調整する可変増幅部と、
を備えてなることを特徴とする放送受信装置。
【請求項８】
請求項５に記載の放送受信装置において、
前記第２のチューナモジュールに備えられた前記第４の受信部は、
前記第２のチューナモジュールに備えられた前記分配器により分配されたＲＦ信号の信号レベルを調整する第１の可変減衰部と、
前記第１の可変減衰部によりレベル調整されたＲＦ信号を増幅する第１の広帯域増幅部と、
前記第１の広帯域増幅部により増幅されたＲＦ信号をベースバンド信号に周波数変換する第１の選局部と、を備え、
前記第２のチューナモジュールに備えられた前記第５の受信部は、
前記第２のチューナモジュールに備えられた前記分配器により分配されたＲＦ信号の信号レベルを調整する第２の可変減衰部と、
前記第２の可変減衰部によりレベル調整されたＲＦ信号を増幅する第２の広帯域増幅部と、
前記第２の広帯域増幅部により増幅されたＲＦ信号をベースバンド信号に周波数変換する第２の選局部と、を備えてなることを特徴とする放送受信装置。
【請求項９】
請求項１〜８のいずれか一項に記載の複数の放送方式を受信することが可能な放送受信装置に実装されるチューナモジュールの実装方法であって、
前記ＲＦ分配信号出力端子と前記ＲＦ分配入力端子間の基板配線が、
前記基板の中間層に配置されていることを特徴とするチューナモジュールの実装方法。
【請求項１０】
請求項１に記載の放送受信装置において、
前記第１のチューナモジュールに備えられた前記広帯域増幅部により増幅されたRF信号を、前記第１のチューナモジュールに備えられた前記分配器を介さずに、前記第１のチューナモジュールに備えられた前記第１の受信部に供給するバイパス回路と、
を備え、
前記第１のチューナモジュールに備えられた前記分配器を部品実装しないことを特徴とする放送受信装置。
【請求項１１】
請求項１に記載の放送受信装置において、
前記第２のチューナモジュールに備えられた前記広帯域増幅部により増幅されたRF信号を、前記第２のチューナモジュールに備えられた前記分配器を介さずに、前記第２のチューナモジュールに備えられた前記第４の受信部に供給するバイパス回路と、を備え、
前記第２のチューナモジュールに備えられた前記分配器を部品実装しないことを特徴とする放送受信装置。
【発明の詳細な説明】
【技術分野】
【０００１】
本発明は、複数の放送方式を受信することが可能な放送受信装置、及び、その放送受信装置に搭載される、チューナモジュール及びチューナモジュールの実装方法に関する。
【背景技術】
【０００２】
背景技術として、例えば、下記特許文献１〜３が知られている。
【０００３】
特許文献１には、アンテナから入来する信号の質を劣化させずに、複数のチューナに信号を供給する入力回路を有する放送受信装置を構成するために、第１及び第２のチューナと、アンテナ入力を第１のチューナと第２のチューナの各高周波入力端子に分配するバルン内蔵分配器を備え、当該分配器を第１のチューナと第２のチューナの各高周波入力端子に直結する技術が開示されている。
【０００４】
また、特許文献２には、入力端子への接続を正確、簡単且つ安全に行える受信装置を提供するために、入力端子から入力される信号を衛星放送の帯域信号と地上放送の帯域信号とに分波する分波器と、衛星放送と地上波放送を受信可能とするメインチューナ及びサブチューナと、分波器の地上放送帯域信号の出力側から、メインチューナへ信号が供給される第１の設定と、第２の入力端子からチューナ部へ信号が供給される第２の設定とで、選択的に接続を切り換える切換部と、第１の設定と第２の設定とのそれぞれにおいて地上放送の信号を検出し、検出結果と検出された時の切換部の設定とに基づき、切換部の設定を制御する技術が開示されている。
【０００５】
さらに、特許文献３には、地上アナログ放送と地上デジタル放送と衛星デジタル放送とを受信可能なチューナユニットを実装し、同時に複数の放送信号が受信可能な放送受信装置の筐体内において、メインチューナ及びサブチューナを基板の両面に、その上下面を同一方向に向けて実装し、かつ、これらのチューナユニットの入力端子間に、アンテナ入力を分配するための分配器を、基板にまたがるように取り付けた放送受信装置とそのための分配器が開示されている。
【０００６】
【特許文献１】特開２００１−４４８７０号公報
【特許文献２】特開２００７−１０４３１４号公報
【特許文献３】特開２００７−２８８５４８号公報
【発明の開示】
【発明が解決しようとする課題】
【０００７】
日本における地上デジタル放送は、２００３年１２月に三大都市圏で開始されたのを皮切りに、２００６年１２月には全都道府県庁所在地で開始され、全国の世帯カバー率が拡大している。一方、地上アナログ放送は、２０１１年７月に放送を終了する予定であり、地上デジタル放送への移行が順次進められている。従って、２０１１年７月までは、地上デジタル放送と地上アナログ放送の両方を受信できる地域が存在することとなる。
【０００８】
一方、日本における衛星デジタル放送は2000年12月にBSデジタル放送が開始され、2000年7月には110度CSデジタル放送が開始されている。このBSデジタル放送と110度CSデジタル放送は衛星がほぼ同じ経度上に位置することから、共通のアンテナと受信部によって受信することが可能である。このような状況のもと、放送受信装置においては、地上デジタル放送と地上アナログ放送、及び、BSデジタル放送と110度CSデジタル放送に代表される衛星デジタル放送の3種類の放送波をそれぞれ受信すること（いわゆる３波共用の放送受信装置）が必要となっている。
【０００９】
またさらに、近年では、プラズマテレビや液晶テレビ、いわゆる薄型テレビの更なる薄型化が求められており、放送受信装置に内蔵されるチューナの形状の小型化が強く求められている。
【００１０】
近年の放送受信装置では、同一放送方式による放送波を２系統受信し、同時に画面に表示させる２画面表示機能や、一つの放送波を受信して映像を表示させながら、同一放送方式による他の物理チャンネルの番組を、内蔵した大容量記憶媒体に録画する裏番組録画機能などの多機能化が進められている。この機能を実現するために、地上デジタル放送用チューナと、地上アナログ放送用チューナと、衛星デジタル放送用チューナとを１つのモジュールにまとめて内蔵し、そのチューナモジュールを放送受信機に２つ実装することがおこなわれている。
【００１１】
上記の従来技術によれば、地上アナログ放送と地上デジタル放送と衛星デジタル放送とを受信可能なチューナユニットを複数搭載する際に、放送受信装置の入力信号をチューナモジュールの各入力端子に分配する分配器モジュールが必要となり、放送受信装置の小型化や低コスト化が実現できないという課題があった。また、３波共用の放送受信装置の設計する場合に、地上デジタル放送の受信系統数と衛星デジタル放送の受信系統数に複数の組合せが存在する機種毎に、分配器モジュールの有無によって放送受信装置の構造を変更しなければならず、設計の共通化による低コスト化が図られないという課題もあった。
【００１２】
本発明はこのような状況に鑑みてなされたものであり、本発明の目的は、地上波デジタル放送と、地上波アナログ放送と、衛星デジタル放送とを、それぞれ1系統または複数系統の受信が可能な３波共用の放送受信装置を提供することにある。
【００１３】
また、別の目的として、省スペースで安価なチューナモジュールの実装方法を提供することにある。
【課題を解決するための手段】
【００１４】
上記目的は、例えば、特許請求の範囲に記載の発明により達成される。本願において開示される発明のうち代表的なものの概要を簡単に説明すれば次のとおりである。
【００１５】
本発明に従う放送受信装置は複数の放送信号を受信する第１及び第２チューナモジュールを実装し、例えば、前記第１のチューナモジュールは、放送信号が入力されるＲＦ信号入力端子と、前記ＲＦ信号入力端子に入力されたＲＦ信号を増幅する広帯域増幅部と、前記広帯域増幅部により増幅されたＲＦ信号を２つに分配する分配器と、前記分配器により分配されたＲＦ分配信号のうち、一方のＲＦ分配信号を出力するRF分配信号出力端子と、前記分配器により分配されたＲＦ分配信号のうち、他方のＲＦ分配信号から周波数変換する第１の受信部と、前記分配器により分配されたＲＦ分配信号のうち、他方のＲＦ分配信号から映像信号と音声信号に変換する第２の受信部と、を備える。前記第２のチューナモジュールは、前記第１のチューナモジュールに備えられたＲＦ分配信号出力端子から出力されるＲＦ分配信号が入力されるＲＦ分配信号入力端子と、前記ＲＦ分配信号入力端子に入力されたＲＦ分配信号を周波数変換する第３の受信部と、放送信号が入力されるＲＦ信号入力端子と、前記ＲＦ信号入力端子から入力されたＲＦ信号を増幅する広帯域増幅部と、前記広帯域増幅部により増幅されたＲＦ信号を２つに分配する分配器と、前記分配器により分配されたＲＦ分配信号から所望の物理チャンネルを選局して周波数変換する第４の受信部及び第５の受信部と、を備える。前記第１のチューナモジュールと前記第２のチューナモジュールが同一基板上に実装し、前記ＲＦ分配信号出力端子と、前記ＲＦ分配入力端子が前記基板の基板配線で接続するという構成をとる。
【発明の効果】
【００１６】
本発明によれば、地上波デジタル放送と、地上波アナログ放送と、衛星デジタル放送とを、それぞれ1系統または複数系統の受信が可能な３波共用の放送受信装置を提供することができる。また、分配モジュールを使用せずに省スペースで安価なチューナモジュールの実装方法を提供することができる。
【発明を実施するための最良の形態】
【００１７】
本発明に係る地上デジタル放送方式として、日本における地上波デジタル放送方式であるＩＳＤＢ−Ｔ方式と、衛星デジタル放送方式であるＩＳＤＢ−Ｓ方式とを例にして説明する。
【００１８】
以下、本発明の実施例について図面を参照して詳述する。なお、図面において、同一符号は、同一または相当部分を示す。また、本発明は、図示例に限定されるものではない。
【実施例１】
【００１９】
図１は、本発明の実施の形態に係る第１のチューナモジュールの概略を示すブロック図である。図１において、第1のチューナモジュール１００は、第1の地上デジタル放送受信部１０１と、地上アナログ放送受信部１０２と、地上波放送入力端子１０４と、広帯域増幅部１０５と、分配器１０６と、ＲＦ分配信号出力端子１１４と、選局制御信号入力端子１１５ａと、ＩＦ信号出力端子１１６ａと、ＡＧＣ制御信号入力端子１１７ａと、映像信号出力端子１１８と、音声信号出力端子１１９と、を備える。また、第1の地上デジタル放送受信部１０１は、選局部１０７ａと、経路切換部１０８と、地上デジタル放送用帯域制限部１０９ａと、可変増幅部１１０ａと、を備える。一方、地上アナログ放送受信部１０２は、選局部１０７ａと経路切換部１０８とを第1の地上デジタル放送受信部１０１と共用し、地上アナログ放送用帯域制限部１１１と、地上アナログ復調部１１２と、音声多重分離部１１３と、を備える。
【００２０】
図２は、本発明の実施の形態に係る第２のチューナモジュールの概略を示すブロック図である。図２において、第２のチューナモジュール２００は、第２の地上デジタル放送受信部１０３と、第１の衛星デジタル放送受信部２０１と、第２の衛星デジタル放送受信部２０２と、衛星放送入力端子２０３と、広帯域増幅部２０４と、分配器２０５と、ＡＧＣ制御信号入力端子２０９ａ及び２０９ｂと、ＩＱ信号出力端子２１０ａ及び２１０ｂと、選局制御信号入力端子２１１ａ及び２１１ｂと、選局制御信号入力端子１１５ｂと、ＩＦ信号出力端子１１６ｂと、ＡＧＣ制御信号入力端子１１７ｂと、ＲＦ分配信号入力端子１２０と、を備える。ここで、第１の衛星デジタル放送受信部２０１は、可変減衰部２０６ａと、広帯域増幅部２０７ａと、選局部２０８ａと、を備え、第２の衛星デジタル放送受信部２０２は、可変減衰部２０６ｂと、広帯域増幅部２０７ｂと、選局部２０８ｂと、を備える。一方、第２の地上デジタル放送受信部は、選局部１０７ｂと、地上デジタル放送用帯域制限部１０９ｂと、可変増幅部１１０ｂと、を備える。
【００２１】
また、図１及び図２での第１のチューナモジュール１００と第２のチューナモジュール２００の構成において、複数のブロックに対して添え字“a”“ｂ”を付して説明の便宜上で区別しているが、同一番号を付したブロックは同一の動作をするものとする。
【００２２】
まず、第1のチューナモジュール１００では、例えば、受信アンテナで受信した地上デジタル放送信号（ＩＳＤＢ−Ｔ信号）や地上アナログ放送信号（ＮＴＳＣ信号）などのＲＦ信号が地上波放送入力端子１０４に入力される。
【００２３】
地上波放送入力端子１０４に入力されたＲＦ信号は広帯域増幅部１０５に供給される。広帯域増幅部１０５は、地上波放送入力端子１０４から供給されたＲＦ信号を増幅し、分配器１０６に供給する。分配器１０６は、広帯域増幅部１０５から供給されたRF信号を２つの経路に分配する。分配器１０６により分配されたＲＦ信号のうちの一方は、分配出力端子１１４から第１のチューナモジュール１００のＲＦ分配信号１２１として出力される。他方の分配されたＲＦ信号は、選局部１０７ａに供給される。また、広帯域増幅部１０５と選局部１０７ａの間には第1のバイパス回路１３０が用意されており、広帯域増幅部１０５により増幅されたＲＦ信号を、分配器１０６を介さずに選局部１０７ａに直接供給することが可能である。このバイパス回路１３０では、例えば、抵抗やコンデンサなどの実装部品の付け替えによって、信号経路を選択することができる。
【００２４】
選局部１０７ａは、分配器１０６から供給されたＲＦ信号から所望の物理チャンネルを選局してＩＦ信号に周波数変換し、経路切換部１０８に供給する。選局部１０７ａで選局すべき物理チャンネルの制御は、選局制御信号入力端子１１５ａから入力された選局制御信号１２２ａ、例えば、Ｉ2Ｃプロトコルによるシリアル制御などにより行われる。
【００２５】
経路切換部１０８は、地上デジタル放送信号と地上アナログ放送信号のどちらを選局するかにより信号経路を切り換えるものである。この経路切換部１０８の制御は図１に図示されていないが、例えば、選局制御信号入力端子１１５ａから入力される選局制御信号１２２ａに、地上デジタル放送の選局と地上アナログ放送の選局のいずれを選局するか指示する情報を含むようにし、この情報に応じて出力される汎用ポートを選局部１０７ａに設け、この汎用ポートにより制御する方法が挙げられる。しかしながら、本発明に係るチューナモジュールにおいては、これに限定されるものではない。
【００２６】
ここで、選局制御信号１２２ａにより地上デジタル放送信号を選局するように制御された場合に経路切換部１０８は、選局部１０７ａから供給されたＩＦ信号を地上デジタル放送用帯域制限部１０９ａに供給する。一方、選局制御信号１２２ａにより地上アナログ放送信号を選局するように制御された場合に経路切換部１０８は、選局部１０７ａから供給されたＩＦ信号を地上アナログ放送用帯域制限部１１１に供給する。
【００２７】
地上デジタル放送用帯域制限部１０９ａは、経路切換部１０８から供給されたＩＦ信号を、例えばＩＳＤＢ−Ｔ方式の場合には約６ＭＨｚの帯域幅で帯域制限し、可変増幅部１１０ａに供給する。可変増幅部１１０ａは、地上デジタル放送用帯域制限部１０９ａから供給されたＩＦ信号を可変増幅し、ＩＦ信号出力端子１１６ａからＩＦ信号１２５ａを出力する。また、可変増幅部１１０ａの増幅率は、ＡＧＣ制御信号入力端子１１７ａから入力されたＡＧＣ制御信号１２６ａによって制御される。
【００２８】
地上アナログ放送用帯域制限部１１１は、経路切換部１０８から供給されたＩＦ信号を、例えば日本のＮＴＳＣ方式の場合には約６ＭＨｚの帯域幅で帯域制限し、地上アナログ復調部１１２に供給する。地上アナログ復調部１１２は、地上アナログ放送用帯域制限部１１２から供給されたＩＦ信号をアナログ復調し、映像信号１２３と音声ＩＦ信号を生成する。地上アナログ復調部１１２で復調された映像信号１２３は、映像信号出力端子１１８から出力され、音声ＩＦ信号は音声多重分離部１１３に供給される。音声多重分離部１１３は、地上アナログ復調部１１２から供給された音声ＩＦ信号を多重分離し、音声出力端子１１９から音声信号１２４を出力する。
【００２９】
次に、第２のチューナモジュール２００では、例えば、放送衛星を経由して放送局から送信された衛星デジタル放送信号のＲＦ信号を受信アンテナで受信し、コンバータにより周波数変換されたＢＳ−ＩＦ信号が衛星放送入力端子２０３に入力される。
【００３０】
衛星放送入力端子２０３に入力されたＢＳ−ＩＦ信号は広帯域増幅部２０４に供給される。広帯域増幅部２０４は、衛星放送入力端子２０３から供給されたＢＳ−ＩＦ信号を増幅し、分配器２０５に供給する。分配器２０５は、広帯域増幅部２０４から供給されたＢＳ−ＩＦ信号を２つの経路に分配する。分配器２０５により分配されたＲＦ信号のうちの一方は、第１の衛星デジタル放送受信部２０１における可変減衰部２０６ａに供給され、他方の分配されたＲＦ信号は、第２の衛星デジタル放送受信部２０２における可変減衰部２０６ｂに供給される。また、広帯域増幅部２０４と第１の衛星デジタル放送受信部２０１における可変減衰部２０６ａの間には第２のバイパス回路２２０が用意されており、広帯域増幅部２０４により増幅されたＢＳ−ＩＦ信号を、分配器２０５を介さずに第１の衛星デジタル放送受信部２０１における可変減衰部２０６ａに直接供給することが可能である。このバイパス回路２２０では、例えば、抵抗やコンデンサなどの実装部品の付け替えによって、経路を選択することができる。
【００３１】
第１の衛星デジタル放送受信部２０１における可変減衰部２０６ａは、分配器２０５から供給されたＢＳ−ＩＦ信号、あるいはバイパス回路２２０を経由して供給されたＢＳ−ＩＦ信号を可変減衰し、広帯域増幅部２０７に供給する。また、可変減衰部２０６ａの減衰率は、ＡＧＣ制御信号入力端子２０９ａから入力されたＡＧＣ制御信号２１２ａによって制御される。広帯域増幅部２０７ａは、可変減衰部２０６ａから供給されたＢＳ−ＩＦ信号を増幅し、選局部２０８ａに供給する。選局部２０８ａは広帯域増幅部２０７ａから供給されたＢＳ−ＩＦ信号から所望の物理チャンネルを選局してＩＱ信号２１３ａに周波数変換し、ＩＱ信号出力端子２１０ａからＩＱ信号２１３ａを出力する。選局部２０８ａで選局すべき物理チャンネルの制御は、選局制御信号入力端子２１１ａから入力された選局制御信号２１４ａ、例えば、Ｉ2Ｃプロトコルによるシリアル制御などにより行われる。
【００３２】
第２の衛星デジタル放送受信部２０２における動作は、第１の衛星デジタル放送受信部２０１における動作と同等であり、説明を省く。
【００３３】
さらに、第２のチューナモジュール２００では、第１のチューナモジュール１００における分配器１０６により分配されたＲＦ分配信号１２１を、ＲＦ分配信号入力端子１２０から入力することが可能であり、入力されたＲＦ分配信号１２１は選局部１０７ｂに供給される。
【００３４】
選局部１０７ｂは、ＲＦ分配信号入力端子１２０から供給されたＲＦ信号から所望の物理チャンネルを選局してＩＦ信号に周波数変換し、地上デジタル放送用帯域制限部１０９ｂに供給する。選局部１０７ｂで選局すべき物理チャンネルの制御は、選局制御信号入力端子１１５ｂから入力された選局制御信号１２２ｂ、例えば、Ｉ2Ｃプロトコルによるシリアル制御などにより行われる。地上デジタル放送用帯域制限部１０９ｂは、選局部１０７ｂから供給されたＩＦ信号を、例えばＩＳＤＢ−Ｔ方式の場合には約６ＭＨｚの帯域幅で帯域制限し、可変増幅部１１０ｂに供給する。可変増幅部１１０ｂは、地上デジタル放送用帯域制限部１０９ｂから供給されたＩＦ信号を可変増幅し、ＩＦ信号出力端子１１６ｂからＩＦ信号１２５ｂを出力する。また、可変増幅部１１０ｂの増幅率は、ＡＧＣ制御信号入力端子１１７ｂから入力されたＡＧＣ制御信号１２６ｂによって制御される。
【００３５】
以上のように構成された第１のチューナモジュールと第２のチューナモジュールとを使用して、地上波デジタル放送と地上波アナログ放送と衛星デジタル放送とを受信することが可能な３波共用の放送受信装置の構成について説明する。
【００３６】
図３は、本発明を適用した第１の実施形態を示すものであり、２系統の地上波デジタル放送と、１系統の地上波アナログ放送と、２系統の衛星デジタル放送とを受信することが可能な３波共用の放送受信装置における、第１のチューナモジュールと第２のチューナモジュールとの接続方法及び基板への実装方法を説明するためのブロック図である。
【００３７】
実装基板３００上には、第１のチューナモジュール１００と、第２のチューナモジュール２００と、地上デジタル復調部１４０ａ及び１４０ｂと、衛星デジタル復調部２３０ａ及び２３０ｂと、基板配線３０１が実装されている。
【００３８】
まず、第1の地上デジタル放送受信部１０１において、地上デジタル放送を受信する場合の動作を説明する。初めに、地上デジタル復調部１４０ａは、選局部１０７ａで選局すべき物理チャンネルと、経路切換部１０８を切り換えるための地上デジタル放送選局指示情報と、を含む選局制御信号１２２ａを生成し、選局制御信号入力端子１１５ａを介して第１の地上デジタル放送受信部１０１に供給する。そして、第１の地上デジタル放送受信部１０１は、地上デジタル復調部１４０ａに指示された物理チャンネルを選局し、ＩＦ信号１２５ａに周波数変換する。第１の地上デジタル放送受信部１０１により周波数変換されたＩＦ信号１２５ａは、ＩＦ信号出力端子１１６ａを介して地上デジタル復調部１４０ａに供給される。地上デジタル復調部１４０ａは供給されたＩＦ信号１２５ａをデジタル復調し、ＴＳ（Ｔｒａｎｓｐｏｒｔ Ｓｔｒｅａｍ）信号を生成する。また、第１の地上デジタル放送受信部１０１から供給されるＩＦ信号１２５ａの信号レベルが所望のレベルとなるようにＡＧＣ制御信号１２６ａを生成し、ＡＧＣ制御信号入力端子１１７ａを介して第１の地上デジタル放送受信部１０１に供給する。
【００３９】
次に、地上アナログ放送受信部１０２において、地上デジタル放送を受信する場合の動作を説明する。初めに、地上デジタル復調部１４０ａは、選局部１０７ａで選局すべき物理チャンネルと、経路切換部１０８を切り換えるための地上アナログ放送選局指示情報と、を含む選局制御信号１２２ａを生成し、選局制御信号入力端子１１５ａを介して第１の地上デジタル放送受信部１０１に供給する。そして、地上アナログ放送受信部１０２は、地上デジタル復調部１４０ａに指示された物理チャンネルを選局し、映像信号１２３と音声信号１２４を生成する。
【００４０】
次に、第２の地上デジタル放送受信部１０３において、地上デジタル放送を受信する場合の動作を説明する。第１のチューナモジュール１００のＲＦ分配信号出力端子１１４と第２のチューナモジュール２００のＲＦ分配信号入力端子１２０は、基板上に配線された基板配線３０１により接続されている。よって、分配器１０６により分配されたＲＦ分配信号１２１は、ＲＦ分配信号入力端子１２０を介して第２の地上デジタル放送受信部１０３に、常に供給されている。なお、第１のバイパス回路１３０は使用しない。
【００４１】
初めに、地上デジタル復調部１４０ｂは、選局部１０７ｂで選局すべき物理チャンネルと、経路切換部１０８を切り換えるための地上デジタル放送選局指示情報と、を含む選局制御信号１２２ｂを生成し、選局制御信号入力端子１１５ｂを介して第２の地上デジタル放送受信部１０３に供給する。そして、第２の地上デジタル放送受信部１０３は、地上デジタル復調部１４０ｂに指示された物理チャンネルを選局し、ＩＦ信号１２５ｂに周波数変換する。第２の地上デジタル放送受信部１０３により周波数変換されたＩＦ信号１２５ｂは、ＩＦ信号出力端子１１６ｂを介して地上デジタル復調部１４０ｂに供給される。地上デジタル復調部１４０ｂは供給されたＩＦ信号１２５ｂをデジタル復調し、ＴＳ信号を生成する。また、第２の地上デジタル放送受信部１０３から供給されるＩＦ信号１２５ｂの信号レベルが所望のレベルとなるようにＡＧＣ制御信号１２６ｂを生成し、ＡＧＣ制御信号入力端子１１７ｂを介して第２の地上デジタル放送受信部１０３に供給する。
【００４２】
ここで、基板配線３０１は多層基板の中間層に配置することにより、外部からの雑音の影響を軽減し、受信性能劣化を防止することができる。また、可能な限り短距離で配線する方が望ましい。
【００４３】
次に、第１の衛星デジタル放送受信部２０１において、衛星デジタル放送を受信する場合の動作を説明する。初めに、衛星デジタル復調部２３０ａは、選局部２０８ａで選局すべき物理チャンネル含む選局制御信号２１４ａを生成し、選局制御信号入力端子２１１ａを介して第１の衛星デジタル放送受信部２０１に供給する。そして、第１の衛星デジタル放送受信部２０１は、衛星デジタル復調部２３０ａに指示された物理チャンネルを選局し、ＩＱ信号２１３ａに周波数変換する。第１の衛星デジタル放送受信部２０１により周波数変換されたＩＱ信号２１３ａは、ＩＱ信号出力端子２１０ａを介して衛星デジタル復調部２３０ａに供給される。衛星デジタル復調部２３０ａは供給されたＩＱ信号２１３ａをデジタル復調し、ＴＳ信号を生成する。また、第１の衛星デジタル放送受信部２０１から供給されるＩＱ信号２１３ａの信号レベルが所望のレベルとなるようにＡＧＣ制御信号２１２ａを生成し、ＡＧＣ制御信号入力端子２１２ａを介して第１の衛星デジタル放送受信部２０１に供給する。
【００４４】
次に、第２の衛星デジタル放送受信部２０２において、衛星デジタル放送を受信する場合の動作を説明する。初めに、衛星デジタル復調部２３０ｂは、選局部２０８ｂで選局すべき物理チャンネル含む選局制御信号２１４ｂを生成し、選局制御信号入力端子２１１ｂを介して第２の衛星デジタル放送受信部２０２に供給する。そして、第２の衛星デジタル放送受信部２０２は、衛星デジタル復調部２３０ｂに指示された物理チャンネルを選局し、ＩＱ信号２１３ｂに周波数変換する。第２の衛星デジタル放送受信部２０２により周波数変換されたＩＱ信号２１３ｂは、ＩＱ信号出力端子２１０ｂを介して衛星デジタル復調部２３０ｂに供給される。衛星デジタル復調部２３０ｂは供給されたＩＱ信号２１３ｂをデジタル復調し、ＴＳ信号を生成する。また、第２の衛星デジタル放送受信部２０２から供給されるＩＱ信号２１３ｂの信号レベルが所望のレベルとなるようにＡＧＣ制御信号２１２ｂを生成し、ＡＧＣ制御信号入力端子２１２ｂを介して第２の衛星デジタル放送受信部２０２に供給する。なお、第２のバイパス回路２２０は使用しない。
【００４５】
以上のように、本発明の実施の形態では、２系統の地上波デジタル放送と、１系統の地上波アナログ放送と、２系統の衛星デジタル放送とを受信することが可能な３波共用の放送受信装置を実現すると共に、分配モジュールを使用せずに省スペースで安価なチューナモジュール構成を実現できる。また、第１のチューナモジュールにおける地上波放送のＲＦ分配信号を、基板の中間層での配線を介して第２のチューナモジュールに入力することにより、外部からの妨害の影響を軽減することができる。
【実施例２】
【００４６】
図４は、本発明を適用した第２の実施形態を示すものであり、２系統の地上波デジタル放送と、１系統の地上波アナログ放送と、１系統の衛星デジタル放送とを受信することが可能な３波共用の放送受信装置における、第１のチューナモジュールと第２のチューナモジュールとの接続方法及び基板への実装方法を説明するためのブロック図である。
【００４７】
実装基板３００上には、第１のチューナモジュール１００と、第２のチューナモジュール２００と、地上デジタル復調部１４０ａ及び１４０ｂと、衛星デジタル復調部２３０ａと、基板配線３０１が実装されている。
【００４８】
図３に示した第１の実施形態を示したブロック図との違いは、第２のチューナモジュールにおいて、広帯域増幅部２０４により増幅されたＢＳ−ＩＦ信号が、分配器２０５を介さずに、第２のバイパス回路２２０を経由して可変減衰部２０６ａに直接供給されている点である。また、破線で示した分配器２０５と、第２の衛星デジタル放送受信部２０２と、衛星デジタル復調部２３０ｂは実装されていない。その他のブロックについては、図３に示した第１の実施形態を示したブロック図と同等の動作をするものとする。
【００４９】
以上のように、本発明の実施の形態では、２系統の地上波デジタル放送と、１系統の地上波アナログ放送と、１系統の衛星デジタル放送とを受信することが可能な３波共用の放送受信装置を実現すると共に、分配モジュールを使用せずに省スペースで安価なチューナモジュール構成を実現できる。また、第１のチューナモジュールにおける地上波放送のＲＦ分配信号を、基板の中間層での配線を介して第２のチューナモジュールに入力することにより、外部からの妨害の影響を軽減することができる。
【実施例３】
【００５０】
図５は、本発明を適用した第３の実施形態を示すものであり、１系統の地上波デジタル放送と、１系統の地上波アナログ放送と、２系統の衛星デジタル放送とを受信することが可能な３波共用の放送受信装置における、第１のチューナモジュールと第２のチューナモジュールとの接続方法及び基板への実装方法を説明するためのブロック図である。
【００５１】
実装基板３００上には、第１のチューナモジュール１００と、第２のチューナモジュール２００と、地上デジタル復調部１４０ａと、衛星デジタル復調部２３０ａ及び２３０ｂと、基板配線３０１が実装されている。
【００５２】
図３に示した第１の実施形態を示したブロック図との違いは、第１のチューナモジュールにおいて、広帯域増幅部１０５により増幅されたＲＦ信号が、分配器１０６を介さずに、第１のバイパス回路１３０を経由して選局部１０７ａに直接供給されている点である。また、破線で示した分配器１０６と、第２の地上デジタル放送受信部１０３と、地上デジタル復調部１４０ｂは実装されていない。その他のブロックについては、図３に示した第１の実施形態を示したブロック図と同等の動作をするものとする。
【００５３】
以上のように、本発明の実施の形態では、１系統の地上波デジタル放送と、１系統の地上波アナログ放送と、２系統の衛星デジタル放送とを受信することが可能な３波共用の放送受信装置を実現すると共に、分配モジュールを使用せずに省スペースで安価なチューナモジュール構成を実現できる。
【実施例４】
【００５４】
図６は、本発明を適用した第４の実施形態を示すものであり、１系統の地上波デジタル放送と、１系統の地上波アナログ放送と、１系統の衛星デジタル放送とを受信することが可能な３波共用の放送受信装置における、第１のチューナモジュールと第２のチューナモジュールとの接続方法及び基板への実装方法を説明するためのブロック図である。
【００５５】
実装基板３００上には、第１のチューナモジュール１００と、第２のチューナモジュール２００と、地上デジタル復調部１４０ａと、衛星デジタル復調部２３０ａが実装されている。
【００５６】
図４に示した第２の実施形態を示したブロック図との違いは、第１のチューナモジュールにおいて、広帯域増幅部１０５により増幅されたＲＦ信号が、分配器１０６を介さずに、第１のバイパス回路１３０を経由して選局部１０７ａに直接供給されている点である。また、破線で示した分配器１０６と、第２の地上デジタル放送受信部１０３と、地上デジタル復調部１４０ｂは実装されていない。
【００５７】
以上のように、本発明の実施の形態では、１系統の地上波デジタル放送と、１系統の地上波アナログ放送と、１系統の衛星デジタル放送とを受信することが可能な３波共用の放送受信装置を実現できる。
【００５８】
また、実施例１から実施例４に示したように、地上デジタル放送の受信系統数と衛星デジタル放送の受信系統数に複数の組合せが存在する複数機種の３波共用放送受信装置を設計開発する場合において、不要な部品実装を行わないことによる軽微な変更により対応することができ、設計の共通化によって、安価な３波共用の放送受信装置を提供することを可能にしている。
【００５９】
以上説明してきたように、本発明によれば、地上波デジタル放送と、地上波アナログ放送と、衛星デジタル放送とを、それぞれ1系統または複数系統の受信が可能な３波共用の放送受信装置を実現すると共に、分配モジュールを使用せずに省スペースで安価なチューナモジュール構成を実現できる。
【００６０】
また、第１のチューナモジュールにおける地上波放送のＲＦ分配信号を、基板の中間層での配線を介して第２のチューナモジュールに入力することにより、外部からの妨害の影響を軽減することができる。
【００６１】
さらに、地上デジタル放送の受信系統数と衛星デジタル放送の受信系統数に複数の組合せが存在する複数機種の３波共用放送受信装置の設計開発において、不要な部品実装を行わないことによる軽微な変更により対応することができ、チューナモジュール及びその実装方法の共通化によって、安価な３波共用の放送受信装置を提供することができる。
【００６２】
以上、本発明に従う放送受信装置の実施形態について説明したが、本発明は上記実施形態に限定されず、本発明の要旨を逸脱しない範囲において種々の改良や変形を行うことができる。
【図面の簡単な説明】
【００６３】
【図１】本発明の実施の形態に係る第１のチューナモジュールの概略を示すブロック図である。
【図２】本発明の実施の形態に係る第２のチューナモジュールの概略を示すブロック図である。
【図３】本発明を適用した第１の実施形態を示すものであり、２系統の地上波デジタル放送と、１系統の地上波アナログ放送と、２系統の衛星デジタル放送とを受信することが可能な３波共用の放送受信装置における、第１のチューナモジュールと第２のチューナモジュールとの接続方法及び基板への実装方法を説明するためのブロック図である。
【図４】本発明を適用した第２の実施形態を示すものであり、２系統の地上波デジタル放送と、１系統の地上波アナログ放送と、１系統の衛星デジタル放送とを受信することが可能な３波共用の放送受信装置における、第１のチューナモジュールと第２のチューナモジュールとの接続方法及び基板への実装方法を説明するためのブロック図である。
【図５】本発明を適用した第３の実施形態を示すものであり、１系統の地上波デジタル放送と、１系統の地上波アナログ放送と、２系統の衛星デジタル放送とを受信することが可能な３波共用の放送受信装置における、第１のチューナモジュールと第２のチューナモジュールとの接続方法及び基板への実装方法を説明するためのブロック図である。
【図６】本発明を適用した第４の実施形態を示すものであり、１系統の地上波デジタル放送と、１系統の地上波アナログ放送と、１系統の衛星デジタル放送とを受信することが可能な３波共用の放送受信装置における、第１のチューナモジュールと第２のチューナモジュールとの接続方法及び基板への実装方法を説明するためのブロック図である。
【符号の説明】
【００６４】
１００…第１のチューナモジュール
１０１…第1の地上デジタル放送受信部
１０２…地上アナログ放送受信部
１０３…第２の地上デジタル放送受信部
１０４…地上波放送入力端子
１０５…広帯域増幅部
１０６…分配器
１０７ａ、１０７ｂ…選局部
１０８…経路切換部
１０９ａ、１０９ｂ…地上デジタル放送用帯域制限部
１１０ａ、１１０ｂ…可変増幅部
１１１…地上アナログ放送用帯域制限部
１１２…地上アナログ復調部
１１３…音声多重分離部
１１４…RF分配信号出力端子
１１５ａ、１１５ｂ…選局制御信号入力端子
１１６ａ、１１６ｂ…ＩＦ信号出力端子
１１７ａ、１１７ｂ…ＡＧＣ制御信号入力端子
１１８…映像信号出力端子
１１９…音声信号出力端子
１２０…RF分配信号入力端子
１２１…RF分配信号
１２２…選局制御信号
１２３…映像信号
１２４…音声信号
１２５ａ、１２５ｂ…ＩＦ信号
１２６ａ、１２６ｂ…ＡＧＣ制御信号
１３０…第１のバイパス回路
１４０ａ、１４０ｂ…地上デジタル復調部
２００…第２のチューナモジュール
２０１…第１の衛星デジタル放送受信部
２０２…第２の衛星デジタル放送受信部
２０３…衛星放送入力端子
２０４…広帯域増幅部
２０５…分配器
２０６ａ、２０６ｂ…可変減衰部
２０７ａ、２０７ｂ…広帯域増幅部
２０８ａ、２０８ｂ…選局部
２０９ａ、２０９ｂ…ＡＧＣ制御信号入力端子
２１０ａ、２１０ｂ…ＩＱ信号出力端子
２１１ａ、２１１ｂ…選局制御信号入力端子
２１２ａ、２１２ｂ…ＡＧＣ制御信号
２１３ａ、２１３ｂ…ＩＱ信号
２１４ａ、２１４ｂ…選局制御信号
２２０…第２のバイパス回路
２３０ａ、２３０ｂ…衛星デジタル復調部
３００…実装基板
３０１…基板配線
４００…地上波放送波分配モジュール
４１０…衛星放送波分配モジュール
４０１、４１１…入力端子
４０２、４１２…広帯域増幅部
４０３、４１３…分配器
４０４，４０５，４１４，４１５…出力端子
４２０、４３０…地上波放送・衛星放送共用チューナモジュール
４２１、４２２、４３１、４３２…入力端子
４２３、４３３…地上波選局部
４２４、４３４…衛星選局部
４２５、４３５…アナログ復調部
４２６、４３６…音声多重分離部
４４０ａ、４４０ｂ…地上デジタル復調部
４５０ａ、４５０ｂ…衛星デジタル復調部
【図１】
0004979630.tif 000002
【図２】
0004979630.tif 000003
【図３】
0004979630.tif 000004
【図４】
0004979630.tif 000005
【図５】
0004979630.tif 000006
【図６】
0004979630.tif 000007